(57)【要約】【課題】本発明は、使用者にとって不本意な照明の消灯の抑制を図ったトイレルーム用照明システムを提供する。【解決手段】トイレルーム用照明システムは、トイレルームＲ内に設置された便座本体２１を有する便座装置２と、前記トイレルーム内を照明する照明部３１を有する照明装置３と、を有するトイレルーム用照明システムであって、照明部３１の点灯／消灯を切り替える照明スイッチング装置９と、便座本体２１の動作状態を検知する便座動作状態検知手段６と、便座動作状態検知手段による便座動作信号の検知の有無に基づいて、照明スイッチング装置９の点灯／消灯の切り替えに関与する情報を送信する送信手段７と、を備え、便座動作状態検知手段が便座動作信号を検知した際に、照明部３１が点灯状態となるようにされている。【選択図】図２
2019029096.tif 000002
【特許請求の範囲】
【請求項１】
トイレルーム内に設置された便座本体を有する便座装置と、前記トイレルーム内を照明する照明部を有する照明装置と、を備えるトイレルーム用照明システムであって、
前記照明部の点灯／消灯を切り替える照明スイッチング装置と、
前記便座本体の動作状態を検知する便座動作状態検知手段と、
前記便座動作状態検知手段による便座動作信号の検知の有無に基づいて、前記照明スイッチング装置の点灯／消灯の切り替えに関与する情報を送信する送信手段と、を備え、
前記便座動作状態検知手段が前記便座動作信号を検知した際に、前記照明部が点灯状態となるようにされていることを特徴とするトイレルーム用照明システム。
【請求項２】
前記照明装置が、前記送信手段からの情報を受信する受信手段を含んでいることを特徴とする請求項１に記載のトイレルーム用照明システム。
【請求項３】
前記トイレルーム内の体動を検知する体動センサを有し、
前記体動センサが体動を検知した際に、前記照明部が点灯状態となるようにされていることを特徴とする請求項１または請求項２に記載のトイレルーム用照明システム。
【請求項４】
前記トイレルーム内の照度を測定する照度センサを有し、
前記照度センサの測定結果に基づいて、前記照明部の点灯／消灯を切り替えることを特徴とする請求項１乃至請求項３のうち何れか一項に記載のトイレルーム用照明システム。
【請求項５】
前記トイレルーム内の体動を検知する体動センサ及び、前記トイレルーム内の照度を測定する照度センサを有し、
前記便座装置が、便座側マイクロコンピュータを含んで構成され、前記便座動作状態検知手段が前記便座側マイクロコンピュータの一部であり、
前記便座側マイクロコンピュータは、前記便座動作信号の検知の有無、前記体動センサの検知結果及び、前記照度センサの測定結果に基づいて、前記照明スイッチング装置のＯＮ／ＯＦＦを制御することを特徴とする請求項２に記載のトイレルーム用照明システム。
【発明の詳細な説明】
【技術分野】
【０００１】
本発明は、トイレルーム用照明システムに関する。
【背景技術】
【０００２】
例えば、特許文献１には、人感センサにより人の出現を検知して照明灯の点灯、消灯を制御する照明装置が開示されている。
【先行技術文献】
【特許文献】
【０００３】
【特許文献１】特開２００３−２４２８２９号公報
【発明の概要】
【発明が解決しようとする課題】
【０００４】
このような特許文献１に記載の発明を、トイレ室内に設置した場合には、人感センサ（体動検知センサ）の検知結果を基に、照明が点灯し、一定時間経過後、消灯される。このため、トイレ室内で使用者が体を動かさず、体動検知センサにより体動が所定時間、検知されない場合には、照明が消灯されてしまう懸念があった。
【０００５】
本発明は、使用者にとって不本意な照明の消灯の抑制を図ったトイレ用照明システムを提供する。
【課題を解決するための手段】
【０００６】
本発明のトイレ用照明システムは、トイレルーム内に設置された便座本体を有する便座装置と、前記トイレルーム内を照明する照明部を有する照明装置と、を備えるトイレルーム用照明システムであって、前記照明部の点灯／消灯を切り替える照明スイッチング装置と、前記便座本体の動作状態を検知する便座動作状態検知手段と、前記便座動作状態検知手段による便座動作信号の検知の有無に基づいて、前記照明スイッチング装置の点灯／消灯の切り替えに関与する情報を送信する送信手段と、を備え、前記便座動作状態検知手段が前記便座動作信号を検知した際に、前記照明部が点灯状態となるようにされていることを特徴とする。
【０００７】
以上のような本発明によれば、トイレルーム内において、使用者の体動が少なくなる着座中においても、便座動作状態検知手段が便座本体の動作状態を検知することで、照明部が点灯状態となるようにされているから、使用者にとって不本意な照明の消灯の抑制を図ることができる。
【０００８】
また、照明装置が、送信手段からの情報を受信する受信手段を含んでいることが好ましい。これによれば、例えば、便座装置を寿命等により交換することになったとしても、照明装置の機能に影響することがない。このため、便座装置の交換が照明装置の機能に影響されずに、照明装置を使用し続けることができる。
【０００９】
また、トイレルーム内の体動を検知する体動センサを有し、体動センサが体動を検知した際に、照明部が点灯状態となるようにされていることが好ましい。これによれば、便座動作状態検知手段が便座本体の動作状態を検知しつつ、体動センサが使用者の体動を検知するから、トイレルーム内に使用者が存在することを検知する検知精度が向上され、使用者の不本意な消灯の抑制を、より一層、図ることができる。
【００１０】
また、トイレルーム内の照度を測定する照度センサを有し、照度センサの測定結果に基づいて、照明部の点灯／消灯を切り替えることが好ましい。これによれば、照度センサによりトイレルーム内の照度が測定されるから、例えばトイレルーム内の照度が、所定の値以上であった場合には、使用者がトイレルーム内にいたとしても照明部が点灯されず消灯されたままとなり、照明部を無駄に点灯することがなく、無駄な電力消費を抑制することができる。
【００１１】
また、トイレルーム内の体動を検知する体動センサ及び、トイレルーム内の照度を測定する照度センサを有し、便座装置が、便座側マイクロコンピュータを含んで構成され、便座動作状態検知手段が便座側マイクロコンピュータの一部であり、便座側マイクロコンピュータは、便座動作信号の検知の有無、体動センサの検知結果及び、照度センサの測定結果に基づいて、照明スイッチング装置のＯＮ／ＯＦＦを制御することが好ましい。これによれば、トイレルーム内において、使用者の体動が少なくなる着座中においても、便座側マイクロコンピュータが、便座動作信号の検知の有無、体動センサの検知結果、及び照度センサの測定結果に基づいて、照明スイッチング装置のＯＮ／ＯＦＦを制御するから、使用者にとって不本意な照明の消灯の抑制を、より一層、図ることができる。
【図面の簡単な説明】
【００１２】
【図１】本発明の第１実施形態にかかるトイレルーム用照明システムが適用されたトイレルームを示す斜視図である。
【図２】本発明の第１実施形態にかかるトイレルーム用照明システムの構成を示す概略ブロック図である。
【図３】前記トイレルーム用照明システムにおける便座側マイクロコンピュータと、照明スイッチング装置の動作の一例を示すフローチャートである。
【図４】前記トイレルーム用照明システムの一部である便座装置の便座動作状況、体動センサ、及び照度センサからの情報に基づいた照明装置の点灯と消灯の動作状態を示す図である。
【図５】本発明の第２実施形態にかかるトイレルーム用照明システムの構成を示す概略ブロック図である。
【図６】前記トイレルーム用照明システムにおける便座側マイクロコンピュータと、照明スイッチング装置の動作の一例を示すフローチャートである。
【発明を実施するための形態】
【００１３】
（第１実施形態）
以下、本発明の第１実施形態にかかるトイレルーム用照明システム１（以下、照明システム１と記す）を、図１〜図４を参照して説明する。図１は、本発明の第１実施形態にかかるトイレルーム用照明システムが適用されたトイレルームＲを示す斜視図である。
【００１４】
本実施形態の照明システム１は、図１、図２に示すように、トイレルームＲ（図１に示す）内に設置された便座装置２と、トイレルームＲ内を照明する照明装置３と、トイレルームＲ内の体動を検知する体動センサ４（図２に示す）と、トイレルームＲ内の照度を測定する照度センサ５（図２に示す）と、を備える。
【００１５】
便座装置２は、図２に示すように、便座本体２１と、便座本体２１の動作状態を検知する便座動作状態検知手段として機能する便座側μＣＯＭ６（便座側マイクロコンピュータ）と、便座動作信号がＯＮである旨（照明スイッチング装置のＯＮ（点灯）／ＯＦＦ（消灯）の切り替えに関与する情報）を送信する送信部７（送信手段）と、を備える。送信部７は、便座側μＣＯＭ６の一部であってもよい。
【００１６】
便座本体２１は、複数（６つ）の動作状態となるように機能する（不図示の）機能部を有している。以下では、６つの動作状態を、第１動作状態、第２動作状態、第３動作状態、第４動作状態、第５動作状態、第６動作状態、と記す。
【００１７】
第１動作状態とは、便座本体２１に設けられた（不図示の）便座側入室検知センサがトイレルームＲへの使用者の入室を検知した状態のことをいう。即ち、便座側入室検知センサが、使用者の入室を検知することにより、便座本体２１が第１動作状態となる。便座側μＣＯＭ６は、便座本体２１が第１動作状態であることを検知する。そして、便座側μＣＯＭ６は、便座本体２１が第１動作状態であることを検知すると、送信部７から照明装置３の受信部８に、便座動作信号がＯＮである旨を送信するように命令する。ここで、便座側入室検知センサと、後述する体動センサ４は、検知範囲が異なる。本実施形態では、便座側入室検知センサは、便座本体２１に設けられたものであり、トイレルームＲの入り口を含む便座本体２１の周辺を検知範囲とする。一方、体動センサ４は、本実施形態では、トイレルームＲ内の全体を広く検知範囲とするように設置されている。
【００１８】
第２動作状態とは、便座本体２１に設けられた（不図示の）着座検知センサが、使用者が便座本体２１に着座したことを検知した状態のことをいう。即ち、着座検知センサが、使用者が便座本体２１に着座したことを検知することにより、便座本体２１が第２動作状態となる。便座側μＣＯＭ６は、便座本体２１が第２動作状態であることを検知する。そして、便座側μＣＯＭ６は、便座本体２１が第２動作状態であることを検知すると、送信部７から照明装置３の受信部８に、便座動作信号がＯＮである旨を送信するように命令する。
【００１９】
第３動作状態とは、使用者により（不図示の）洗浄ボタンが押下された状態のことをいう。使用者により洗浄ボタンが押下されたことにより、便座本体２１が第３動作状態となる。そして、便座側μＣＯＭ６は、便座本体２１が第３動作状態であることを検知すると、送信部７から照明装置３の受信部８に、便座動作信号がＯＮである旨を送信するように命令する。
【００２０】
第４動作状態とは、使用者により（不図示の）ビデボタンが押下された状態のことをいう。即ち、使用者によりビデボタンが押下されたことにより、便座本体２１が第４動作状態となる。そして、便座側μＣＯＭ６は、便座本体２１が第４動作状態であることを検知すると、送信部７から照明装置３の受信部８に、便座動作信号がＯＮである旨を送信するように命令する。
【００２１】
第５動作状態とは、使用者により（不図示の）乾燥ボタンが押下された状態のことをいう。即ち、使用者により乾燥ボタンが押下されたことにより、便座本体２１が第５動作状態となる。そして、便座側μＣＯＭ６は、便座本体２１が第５動作状態であることを検知すると、送信部７から照明装置３の受信部８に、便座動作信号がＯＮである旨を送信するように命令する。
【００２２】
第６動作状態とは、使用者により（不図示の）お掃除モードボタンが押下された状態のことをいう。即ち、使用者によりお掃除モードボタンが押下されたことにより、便座本体２１が第６動作状態となる。そして、便座側μＣＯＭ６は、便座本体２１が第６動作状態であることを検知すると、送信部７から照明装置３の受信部８に、便座動作信号がＯＮである旨を送信するように命令する。
【００２３】
便座側μＣＯＭ６は、便座本体２１の動作状態を検知する。即ち、便座側μＣＯＭ６は、便座動作状態検知手段として機能する。便座側μＣＯＭ６は、便座本体２１が第１動作状態〜第６動作状態の何れかの状態であることを照明装置３の受信部８に知らせるために、送信部７に便座動作信号がＯＮである旨を送信するように命令する。送信部７は、照明装置３の受信部８に便座動作信号がＯＮである旨を無線で送信する。
【００２４】
照明装置３は、便座装置２の送信部７から便座動作信号がＯＮである旨を受信する受信部８と、照明部３１と、照明部３１を点灯させる照明スイッチング装置９と、を備えている。
【００２５】
照明スイッチング装置９は、外部から入力された情報に応じてＯＮ、ＯＦＦの設定を切り替えるマイクロコンピュータを備えている。また、照明スイッチング装置９は、後述する体動センサ４が、トイレルームＲ内において体動を検知することにより、その設定がＯＮに切り替わる。また、照明スイッチング装置９は、後述する照度センサ５が、トイレルームＲ内の照度が所定値以下（閾値以下）であることを検知することにより、その設定がＯＮに切り替わる。また、トイレルームＲ内の照度が所定値より大きいであることを検知することにより、その設定がＯＦＦに切り替わる。
【００２６】
体動センサ４は、トイレルームＲ内における所定範囲の体動を検知するように構成されている。体動センサ４は、照明スイッチング装置９に接続されて、その出力結果（検知の有無）が照明スイッチング装置９に入力されるように構成されている。そして、トイレルームＲ内において体動センサ４により体動が検知されることにより、照明スイッチング装置９の設定がＯＮに切り替わる。
【００２７】
照度センサ５は、トイレルームＲ内の照度を測定し、測定結果が所定値以下の場合には、照明スイッチング装置９の設定をＯＮに切り替え、測定結果が所定値より大きい場合には、照明スイッチング装置９の設定をＯＦＦに切り替える。照度センサ５は、照明スイッチング装置９に接続されて、その出力結果（測定結果が所定値より大きいであるか否か）が照明スイッチング装置９に入力されるように構成されている。
【００２８】
照明部３１は、スイッチング装置の設定がＯＮにされた際に、点灯するように構成されている。また、照明部３１は、照明スイッチング装置９の設定がＯＦＦに切り替えられることにより、消灯するように構成されている。
【００２９】
次に、照明システム１（トイレルーム用照明システム）の動作について図３を参照して説明する。
【００３０】
まず、トイレルームＲに使用者が入室する（ステップＳ１）と、入室したことを便座装置２の便座側入室検知センサが検知する。即ち、便座装置２の便座側入室検知センサが、使用者が入室したこと検知する（便座装置２が第１動作状態〜第６動作状態の何れかの状態になることを検知する）ことにより（ステップＳ２）、便座本体２１が第１動作状態となる（ステップＳ３）。便座側μＣＯＭ６は、便座本体２１の動作状態ｎを検知する。便座側μＣＯＭ６は、便座本体２１が第１動作状態〜第６動作状態の何れかの状態であることを検知すると（ステップＳ４）、送信部７から照明装置３の受信部８に便座動作信号がＯＮである旨を送信するように命令する。送信部７は、照明装置３の受信部８に便座動作信号がＯＮである旨を無線で送信する（ステップＳ５）。ここで、使用者の動作に応じて、便座本体２１の動作状態が変更された場合には、便座本体２１の動作状態が変更されるに伴って、便座側μＣＯＭ６は、便座本体２１が第１動作状態〜第６動作状態の何れかの状態であることを検知して、送信部７は、照明装置３の受信部８に便座動作信号の有無を無線で送信する（ステップＳ４、ステップＳ５）。
【００３１】
ステップＳ５の後、照度センサ５が、トイレルームＲ内の照度を測定する（ステップＳ６）。照度センサ５の測定結果が、所定値以下の場合には（ステップＳ７でＹＥＳ）、照明スイッチング装置９の設定をＯＮに切り替えて（ステップＳ８）照明部３１を点灯し（ステップＳ９）、測定結果が測定値以上であった場合には（ステップＳ７でＮＯ）、照明スイッチング装置９の設定をＯＦＦに切り替えて（ステップＳ１０）照明部３１を点灯しない（消灯したままとする）（ステップＳ１１）。ステップＳ１１の後、一定時間、便座本体２１の動作状態ｎが検知されなかった場合（ステップＳ１８でＹＥＳ）において、体動センサ４が、トイレルームＲ内の体動を検知しなかった場合には（ステップＳ１９でＮＯ）、動作を終了する。
【００３２】
また、ステップＳ９の後、便座側μＣＯＭ６により、一定時間、便座本体２１の動作状態ｎが検知されなかった場合（ステップＳ１２でＹＥＳ）において、体動センサ４が、トイレルームＲ内の体動を検知した場合には（ステップＳ１３でＹＥＳ）、照明スイッチング装置９の設定をＯＮのままとし（ステップＳ１４）、照明部３１を点灯したままとする（ステップＳ１５）。体動センサ４により体動が検知されなかった場合には（ステップＳ１３でＮＯ）、照明スイッチング装置９の設定をＯＦＦに切り替えて（ステップＳ１６）照明部３１を消灯（ステップＳ１７）し、動作を終了する。一方、一定時間内に、便座本体２１の動作状態ｎが検知された場合（ステップＳ１２でＮＯ）には、ステップＳ５に戻る。照明部３１を点灯したまま（ステップＳ１５）とした後、ステップＳ６に戻る。
【００３３】
即ち、照明システム１（トイレルーム用照明システム）は、図４に示すように、照度センサ５の測定結果が、所定値以下の場合において、便座側μＣＯＭ６により、以下のように制御される。便座側μＣＯＭ６により、一定時間、便座本体２１の動作状態ｎが検知されなかった場合において、体動センサ４により体動が検知された場合に、照明部３１が点灯状態となるように制御されている。即ち、本実施形態の照明システム１は、照度センサ５の測定結果が、所定値以下の場合において、便座本体２１の動作状態ｎの検知と、体動センサ４による体動の検知と、のうち何れか一方が検知されたことにより、照明部３１が点灯状態となるように制御される。このように、本実施形態の照明システム１（トイレルーム用照明システム）は、便座装置２側の判断で、照明部３１の点灯／消灯が切り替えられている。一方、照度センサ５の測定結果が、所定値より大きい場合には、照明なしでも十分な明るさがあると判断されて、照明部３１が消灯状態となるように制御される。
【００３４】
このような本実施形態によれば、以下のような効果がある。
【００３５】
以上のような本実施形態によれば、トイレルームＲ内において、使用者の体動が少なくなる着座中においても、便座動作状態検知手段が便座本体２１の動作状態を検知（使用者の着座を検知）するため、使用者にとって不本意な照明の消灯の抑制を図ることができる。
【００３６】
また、照明装置２が、送信部７（送信手段）からの情報を受信する受信部８（受信手段）を含んでいる。これによれば、例えば、便座装置２を寿命等により交換することになったとしても、照明装置３の機能に影響することがない。このため、便座装置２の交換が照明装置の機能に影響されずに、照明装置３を使用し続けることができる。
【００３７】
また、トイレルームＲ内の体動を検知する体動センサ４を有し、体動センサ４が体動を検知した際に、照明部３１が点灯状態となるようにされている。これによれば、便座動作状態検知手段が便座本体２１の動作状態を検知しつつ、トイレルームＲ内の体動を検知する体動センサ４により、使用者の体動が検知されるから、トイレルームＲ内に使用者が存在することを検知する検知精度が向上され、使用者の不本意な消灯の抑制を、より一層、図ることができる。
【００３８】
また、トイレルームＲ内の照度を測定する照度センサ５を有し、照度センサ５の測定結果に基づいて、照明部３１の点灯／消灯を切り替える。これによれば、例えば窓からの採光等によりトイレルームＲ内の照度が、所定値より大きい場合には、使用者がトイレルームＲ内にいたとしても、照明なしでも十分な明るさがあると判断され、照明部３１が点灯されず消灯されたままとなる。そのため、照明部３１を無駄に点灯することがなく、無駄な電力消費を抑制することができる。
【００３９】
なお、本発明は、前記実施形態に限定されるものではなく、本発明の目的が達成できる他の構成等を含み、以下に示すような変形例も本発明に含まれる。
【００４０】
また、前記実施形態において、照明システム１（トイレルーム用照明システム）は、トイレルームＲ内に設置された便座装置２と、トイレルームＲ内を照明する照明装置３と、トイレルームＲ内の体動を検知する体動センサ４と、トイレルームＲ内の照度を測定する照度センサ５と、を備えて構成されていたが、本発明はこれに限定されるものではない。トイレルーム用照明システムが、便座装置２及び照明装置３のみから構成されていてもよい。その場合には、便座本体２１の動作状態が変更されるに伴って、便座側送信手段は、便座本体２１が第１動作状態〜第６動作状態の何れかの状態であることを検知して、照明装置３の受信部８に便座動作信号がＯＮである旨を無線で送信する（ステップＳ４〜ステップＳ５）。この後、照明スイッチング装置９の設定をＯＮとして照明部３１を点灯状態にすればよい。即ち、ステップＳ５からステップＳ１４にジャンプすればよい。
【００４１】
これによれば、便座本体２１は、着座検知センサを有し、着座検知センサにより、使用者が便座本体２１に着座したことが検知され、便座動作状態検知手段が便座本体２１の動作状態を検知するため、トイレルームＲ内において、使用者の体動が少なくなる着座中においても、使用者にとって不本意な照明の消灯の抑制を図ることができる。
【００４２】
また、前記実施形態において、照明システム１（トイレルーム用照明システム）は、便座側μＣＯＭ６が、便座動作状態検知手段として機能するように構成されているが、本発明はこれに限定されるものではない。便座側μＣＯＭ６の代わりに、便座動作状態検知手段として機能するスイッチング装置が用いられていてもよい。この場合には、スイッチング装置は、便座動作信号がＯＮである旨を検知することでその設定がＯＮにされていてもよい。そして、スイッチング装置の設定がＯＮである旨を、送信部７（送信手段）が、照明装置３の受信部８（受信手段）に送信してもよい。
【００４３】
また、前記実施形態では、送信部７は、便座動作信号がＯＮである旨を送信するように構成されているが、本発明はこれに限定されるものではない。送信部としての送信手段は、便座動作信号（第１動作状態から第６動作状態の何れかを特定する信号）を送信するように構成されており、第１動作状態から第６動作状態の何れかを特定する信号が照明スイッチング装置９の点灯／消灯の切り替えに関与する情報として用いられてもよく、送信部としての送信手段は、便座動作信号のＯＮ／ＯＦＦを送信するように構成されていてもよい。このように、本実施形態の照明システム（トイレルーム用照明システム）は、照明装置３側の判断で、照明部３１の点灯／消灯が切り替えられていてもよい。
【００４４】
または、照明システム１において、照明スイッチング装置９は、マイクロコンピュータを有さず、外部からの情報に応じて機械的にＯＮ、ＯＦＦが切り替えられるスイッチング素子のみから構成されていてもよい。このようなスイッチング素子は、夫々の信号に対応したリレー装置を組み合わせることで、実現することができる。
【００４５】
（第２実施形態）
次に、本発明の第２実施形態にかかるトイレルーム用照明システム１０（以下、照明システム１０と記す）を、図５〜図６を参照して説明する。なお。前述した第１実施形態と同一部分には同一符号を付して説明を省略する。第２実施形態にかかるトイレルーム用照明システム１０と、第１実施形態にかかるトイレルーム用照明システム１との差異は、体動センサ４及び照度センサ５が、便座側μＣＯＭ１６に接続されて、各センサの出力が便座側μＣＯＭ１６に入力されるように構成されている点にある。図５は、本発明の第２実施形態にかかるトイレルーム用照明システムの構成を示す概略ブロック図である。図６は、前記トイレルーム用照明システムにおける便座側マイクロコンピュータと、照明スイッチング装置の動作の一例を示すフローチャートである。
【００４６】
トイレルーム用照明システム１０は、図５に示すように、照明システム１０（トイレルーム用照明システム）は、トイレルームＲ内に設置された便座装置１２と、トイレルームＲ内を照明する照明装置１３と、を備え、便座側μＣＯＭ１６に接続されてトイレルームＲ内の体動を検知する体動センサ４と、便座側μＣＯＭ１６に接続されてトイレルームＲ内の照度を測定する照度センサ５と、を備えて構成されている。
【００４７】
照明装置１３は、便座装置２の送信部７から便座動作信号がＯＮである旨を受信する受信部８と、照明部３１と、照明部３１を点灯させる照明スイッチング装置１９と、を備えている。照明スイッチング装置１９は、所定時間、経過した後にその設定がＯＦＦに切り替わるようなオフタイマー機能を有している。
【００４８】
次に、照明システム１０の動作について図６を参照して説明する。図６に示すフローチャートでは、トイレルームＲに使用者が入室した後の照明システム１０の動作について記載する。
【００４９】
便座側μＣＯＭ６が、便座本体２１の動作状態ｎを検知するか、または、体動センサ４が体動を検知した場合（ステップＳ２１でＹＥＳ）に、照度センサ５が、トイレルームＲ内の照度を測定する。照度センサ５の測定結果が、所定値以下の場合には（ステップＳ２２でＹＥＳ）、オフタイマーをセットし（ステップＳ２３）、照明スイッチング装置１９の設定をＯＮに切り替えて、照明部３１を点灯する（ステップＳ２４）。
【００５０】
また、便座側μＣＯＭ６が、便座本体２１の動作状態ｎを検知するか、または、体動センサ４が体動を検知した場合（ステップＳ２１でＹＥＳ）において、照度センサ５の測定結果が、所定値より大きい場合には（ステップＳ２２でＮＯ）、ステップＳ２５に進む。ステップＳ２５にて、オフタイマーの残り時間がゼロになった場合（ステップＳ２５でＹＥＳ）に、照明スイッチング装置１９の設定をＯＦＦに切り替えて、照明部３１を消灯する（ステップＳ２６）。
【００５１】
一方、便座側μＣＯＭ６は、便座本体２１の動作状態ｎを検知するか、または、体動センサ４が体動を検知しなかった場合（ステップＳ２１でＮＯ）において、オフタイマーの残り時間がゼロになった場合（ステップＳ２５でＹＥＳ）に、照明部３１を消灯する（ステップＳ２６）。オフタイマーの残り時間がゼロでなかった場合（ステップＳ２５でＮＯ）は、ステップＳ２１にジャンプする。こうして、動作を終了する。
【００５２】
以上のような本実施形態によれば、トイレルームＲ内において、使用者の体動が少なくなる着座中においても、便座動作状態検知手段が便座本体２１の動作状態を検知（使用者の着座を検知）するため、使用者にとって不本意な照明の消灯の抑制を図ることができる。
【００５３】
その他、本発明を実施するための最良の構成、方法などは、以上の記載で開示されているが、本発明は、これに限定されるものではない。すなわち、本発明は、主に特定の実施形態に関して特に図示され、且つ、説明されているが、本発明の技術的思想及び、目的の範囲から逸脱することなく、以上述べた実施形態に対し、形状、材質、数量、その他の詳細な構成において、当業者が様々な変形を加えることができるものである。従って、上記に開示した形状、材質などを限定した記載は、本発明の理解を容易にするために例示的に記載したものであり、本発明を限定するものではないから、それらの形状、材質などの限定の一部、もしくは全部の限定を外した部材の名称での記載は、本発明に含まれるものである。
【符号の説明】
【００５４】
１、１０    照明システム（トイレルーム用照明システム）
２、１２    便座装置
２１  便座本体
３、１３    照明装置
３１  照明部
４    体動センサ
５    照度センサ
６、１６    便座側マイクロコンピュータ（便座動作状態検知手段）
７    送信部（送信手段）
８    受信部（受信手段）
９、１９    照明スイッチング装置
Ｒ    トイレルーム
【図１】
2019029096.tif 000003
【図２】
2019029096.tif 000004
【図３】
2019029096.tif 000005
【図４】
2019029096.tif 000006
【図５】
2019029096.tif 000007
【図６】
2019029096.tif 000008